(57)【要約】【課題】効果的な光装飾を実現可能な遊技機設置島用飾り具を提供する。【解決手段】遊技機設置島用飾り具２は、飾り具本体１０と、飾り具本体１０に前後に重なり合った状態で支持された第１および第２装飾用導光板１５１，１５２と、装飾用導光板１５１，１５２の端面に対向するように飾り具本体１０に支持され、複数のＬＥＤ素子が装飾用導光板１５１，１５２の端面に沿って配列して実装された第１および第２ＬＥＤ基板２０１，２０２と、ＬＥＤ基板２０１，２０２と装飾用導光板１５１，１５２の端面との間に設けられ、ＬＥＤ素子が発する光を着色して装飾用導光板１５１，１５２の端面に入射させる着色透光部材２５１，２５２と、を含む。装飾用導光板１５１，１５２には、第１および第２装飾パターン１８１，１８２が形成されており、これらを合成した合成装飾パターン１８による光装飾効果が得られる。【選択図】図２
0003219418.tif 000002
【実用新案登録請求の範囲】
【請求項１】
遊技場における複数の遊技機が配列される遊技機設置島に配置される飾り具であって、
飾り具本体と、
前記飾り具本体に支持された第１装飾用導光板と、
前記飾り具本体に支持され、前記第１装飾用導光板と重なり合って配置された第２装飾用導光板と、
前記第１装飾用導光板の端面に対向するように前記飾り具本体に支持され、複数のＬＥＤ素子が前記第１装飾用導光板の端面に沿って配列して実装されたＬＥＤ基板を含み、前記第１装飾用導光板の端面に光を入射させる第１端面光源ユニットと、
前記第２装飾用導光板の端面に対向するように前記飾り具本体に支持され、複数のＬＥＤ素子が前記第２装飾用導光板の端面に沿って配列して実装されたＬＥＤ基板を含み、前記第２装飾用導光板の端面に光を入射させる第２端面光源ユニットと、
を含む、遊技機設置島用飾り具。
【請求項２】
前記第１端面光源ユニットと、前記第２端面光源ユニットとが、異なる色の光を前記第１装飾用導光板および第２装飾用導光板のそれぞれの端面に入射させる、請求項１に記載の遊技機設置島用飾り具。
【請求項３】
前記第１端面光源ユニットおよび前記第２端面光源ユニットの一方または両方が、発生する光の色を変更可能な色可変端面光源ユニットである、請求項１または２に記載の遊技機設置島用飾り具。
【請求項４】
前記色可変端面光源ユニットが、前記ＬＥＤ基板と、当該ＬＥＤ基板に対応する前記装飾用導光板の端面との間に設けられ、前記ＬＥＤ素子が発する光を着色して対応する前記装飾用導光板の端面に入射させる着色透光部材を含む、請求項３に記載の遊技機設置島用飾り具。
【請求項５】
前記着色透光部材が、前記飾り具本体に対して着脱自在に支持されている、請求項４に記載の遊技機設置島用飾り具。
【請求項６】
前記第１および第２装飾用導光板をそれぞれ挟持する第１挟持溝および第２挟持溝と、各挟持溝の底部に設けられ前記ＬＥＤ基板を支持するＬＥＤ基板支持部と、前記着色透光部材を支持する着色透光部材支持部とを有し、前記飾り具本体に取り付けられるフレーム部材をさらに含む、請求項４または５に記載の遊技機設置島用飾り具。
【請求項７】
前記着色透光部材支持部が、対応する前記装飾用導光板の端面に沿ったレール形状を有し、前記着色透光部材をスライド可能に支持している、請求項６に記載の遊技機設置島用飾り具。
【請求項８】
前記第１および第２装飾用導光板の端面が、上下方向に沿った側面を有しており、前記フレーム部材が前記側面に沿って上下方向に延びて設けられ、前記レール形状の着色透光部材支持部が、前記飾り具本体の上面に開いたレール形状を有し、前記着色透光部材をスライド可能に支持している、請求項７に記載の遊技機設置島用飾り具。
【請求項９】
前記第１および第２装飾用導光板の端面が、上下方向に沿った左右一対の側面を有しており、一対の前記フレーム部材が前記一対の側面にそれぞれ沿って上下方向に延びて設けられ、前記レール形状の着色透光部材支持部が、前記飾り具本体の上面に開いたレール形状を有し、前記着色透光部材をスライド可能に支持している、請求項７に記載の遊技機設置島用飾り具。
【請求項１０】
前記ＬＥＤ基板が、複数色の光を発光可能な多色発光ＬＥＤ基板であり、
前記多色発光ＬＥＤ基板の発光色を可変設定するコントローラをさらに含む、請求項３〜９のいずれか一項に記載の遊技機設置島用飾り具。
【請求項１１】
前記第１端面光源ユニットおよび前記第２端面光源ユニットの一方または両方が発生する光の輝度を変更する調光手段をさらに含む、請求項１〜１０のいずれか一項に記載の遊技機設置島用飾り具。
【請求項１２】
前記飾り具本体が前記第１および第２装飾用導光板の端面を取り囲む枠状に構成されており、
前記ＬＥＤ基板が、対応する前記装飾用導光板の端面を外側から照らすように配置されている、請求項１〜１１のいずれか一項に記載の遊技機設置島用飾り具。
【請求項１３】
前記飾り具本体が板状に構成されており、前記第１および第２装飾用導光板および前記第１および第２端面光源ユニットが、前記飾り具本体の厚み内に配置されている、請求項１〜１２のいずれか一項に記載の遊技機設置島用飾り具。
【請求項１４】
前記第１および第２装飾用導光板の背面側に配置された反射鏡をさらに含む、請求項１〜１３のいずれか一項に記載の遊技機設置島用飾り具。
【請求項１５】
前記飾り具が、遊技機設置島の端部に配置される妻板または島飾りを構成している、請求項１〜１４のいずれか一項に記載の遊技機設置島用飾り具。
【請求項１６】
前記飾り具が、幕板を構成している、請求項１〜１４のいずれか一項に記載の遊技機設置島用飾り具。
【考案の詳細な説明】
【技術分野】
【０００１】
この考案は、遊技機設置島用の飾り具に関する。
【背景技術】
【０００２】
遊技場においては、複数の遊技機（パチンコ機やパチスロ機）が配列されて、複数の遊技機を含む遊技機設置島が構成されている。遊技機設置島の島端（一端および他端）には、飾り具が配置されている。このような飾り具のうち、厚みの厚いものは島飾り、厚みの薄いものは妻板と呼ばれることが多い。
特許文献１には、ベースパネルと、ベースパネルと一体に形成された上部パネルと、上部パネルの側面に埋め込まれたフレームと、フレームに内蔵されたＬＥＤ基板と、フレームに対して着脱自在な導光板とを備えた遊技機設置島用妻板が開示されている。導光板は、ＬＥＤ基板に実装された複数のＬＥＤからの光を利用して光装飾効果を生じる。
【先行技術文献】
【特許文献】
【０００３】
【特許文献１】特開２００８−２２０８４０号公報
【考案の概要】
【考案が解決しようとする課題】
【０００４】
一枚の導光板とＬＥＤ基板との組み合わせでは、実現可能な光装飾効果に限界があり、複雑な光装飾効果の実現は難しい。
そこで、この考案の一つの目的は、導光板とＬＥＤ光源とを用いて効果的な光装飾を実現可能な遊技機設置島用飾り具を提供することである。
【課題を解決するための手段】
【０００５】
この考案は、遊技場における複数の遊技機が配列される遊技機設置島に配置される飾り具を提供する。この遊技機設置島用飾り具は、飾り具本体と、前記飾り具本体に支持された第１装飾用導光板と、前記飾り具本体に支持され、前記第１装飾用導光板と重なり合って配置された第２装飾用導光板と、前記第１装飾用導光板の端面に対向するように前記飾り具本体に支持され、複数のＬＥＤ素子が前記第１装飾用導光板の端面に沿って配列して実装されたＬＥＤ基板を含み、前記第１装飾用導光板の端面に光を入射させる第１端面光源ユニットと、前記第２装飾用導光板の端面に対向するように前記飾り具本体に支持され、複数のＬＥＤ素子が前記第２装飾用導光板の端面に沿って配列して実装されたＬＥＤ基板を含み、前記第２装飾用導光板の端面に光を入射させる第２端面光源ユニットと、を含む。
【０００６】
この考案の一実施形態では、前記第１端面光源ユニットと、前記第２端面光源ユニットとが、異なる色の光を前記第１装飾用導光板および第２装飾用導光板のそれぞれの端面に入射させる。
この考案の一実施形態では、前記第１端面光源ユニットおよび前記第２端面光源ユニットの一方または両方が、発生する光の色を変更可能な色可変端面光源ユニットである。
【０００７】
この考案の一実施形態では、前記色可変端面光源ユニットが、前記ＬＥＤ基板と、当該ＬＥＤ基板に対応する前記装飾用導光板の端面との間に設けられ、前記ＬＥＤが発する光を着色して前記装飾用導光板の端面に入射させる着色透光部材を含む。
この考案の一実施形態では、前記着色透光部材が、前記飾り具本体に対して着脱自在に支持されている。
【０００８】
この考案の一実施形態では、遊技機設置島用飾り具が、前記第１および第２装飾用導光板をそれぞれ挟持する第１挟持溝および第２挟持溝と、各挟持溝の底部に設けられ前記ＬＥＤ基板を支持するＬＥＤ基板支持部と、前記着色透光部材を支持する着色透光部材支持部とを有し、前記飾り具本体に取り付けられるフレーム部材をさらに含む。
この考案の一実施形態では、前記着色透光部材支持部が、対応する前記装飾用導光板の端面に沿ったレール形状を有し、前記着色透光部材をスライド可能に支持している。
【０００９】
この考案の一実施形態では、前記第１および第２装飾用導光板の端面が、上下方向に沿った側面を有しており、前記フレーム部材が前記側面に沿って上下方向に延びて設けられ、前記レール形状の着色透光部材支持部が、前記飾り具本体の上面に開いたレール形状を有し、前記着色透光部材をスライド可能に支持している。
この考案の一実施形態では、前記第１および第２装飾用導光板の端面が、上下方向に沿った左右一対の側面を有しており、一対の前記フレーム部材が前記一対の側面にそれぞれ沿って上下方向に延びて設けられ、前記レール形状の着色透光部材支持部が、前記飾り具本体の上面に開いたレール形状を有し、前記着色透光部材をスライド可能に支持している。
【００１０】
この考案の一実施形態では、前記ＬＥＤ基板が、複数色の光を発光可能な多色発光ＬＥＤ基板であり、前記遊技機設置島用飾り具が、前記多色発光ＬＥＤ基板の発光色を可変設定するコントローラをさらに含む。
この考案の一実施形態では、前記遊技機設置島用飾り具が、前記第１端面光源ユニットおよび前記第２端面光源ユニットの一方または両方が発生する光の輝度を変更する調光手段をさらに含む。
【００１１】
この考案の一実施形態では、前記飾り具本体が前記第１および第２装飾用導光板の端面を取り囲む枠状に構成されており、前記ＬＥＤ基板が、対応する前記装飾用導光板の端面を外側から照らすように配置されている。
この考案の一実施形態では、前記飾り具本体が板状に構成されており、前記第１および第２装飾用導光板および前記第１および第２端面光源ユニットが、前記飾り具本体の厚み内に配置されている。
【００１２】
この考案の一実施形態では、遊技機設置島用飾り具が、前記第１および第２装飾用導光板の背面側に配置された反射鏡をさらに含む。
この考案の一実施形態では、前記飾り具が、遊技機設置島の端部に配置される妻板または島飾りを構成している。
この考案の一実施形態では、前記飾り具が、幕板を構成している。
【考案の効果】
【００１３】
この考案によれば、第１端面光源ユニットから発した光が第１装飾用導光板の端面に入射し、第２端面光源ユニットから発した光が第２装飾用導光板の端面に入射する。たとえば、装飾用導光板に凹凸や模様を形成しておくことにより、装飾用導光板内を進む光をその進行方向に交差する方向へ導くことができ、それにより、ＬＥＤの発する光によって、装飾用導光板を用いた光装飾効果を実現できる。そして、第１および第２装飾用導光板が重なり合って配置されているので、第１装飾用導光板による光装飾効果と、第２装飾用導光板による光装飾効果とが合成され、複雑で効果的な光装飾を実現できる。
【００１４】
また、第１および第２端面光源ユニットが異なる色の光を第１および第２装飾用導光板にそれぞれ入射させる構成とすれば、カラフルな光装飾効果を実現できる。
また、端面光源ユニットを色可変端面光源ユニットとして、装飾用導光板の端面に入射する光の色を変更すれば、光装飾効果の意匠を変更できるから、コストを抑制しながら光装飾の意匠を容易に変更することができる。とくに、装飾用導光板の設計を変更する必要がないので、光装飾効果の意匠変更が、安価でかつ容易に行える。
【００１５】
しかも、ＬＥＤ基板の端面に対向するように端面光源ユニットを設ける構成は、標準的な妻板の厚み（たとえば４５〜８０ミリメートル）の範囲内に収容することができる。それにより、妻板型の島飾りを実現することができるから、遊技場の店内スペースが広くない場合であっても、光装飾効果を伴う島飾りを設置し、かつ十分な通路スペースを確保できる。
【図面の簡単な説明】
【００１６】
【図１】遊技機設置島の一端部の図解的な斜視図である。
【図２】前記遊技機設置島用飾り具の正面図である。
【図３】前記遊技機設置島用飾り具における光装飾表示のための構成を説明するための分解斜視図である。
【図４】前記遊技機設置島用飾り具の横断面図である。
【図５】前記遊技機設置島用飾り具の一部を拡大して示す拡大横断面図である。
【図６】装飾用導光板に形成された装飾パターンの例を示す正面図である。
【図７】ＬＥＤ基板の駆動に関連する電気的構成を説明するためのブロック図である。
【図８】この考案の他の実施形態に係る遊技機設置島用飾り具の正面図である。
【図９】この考案のさらに他の実施形態に係る遊技機設置島用飾り具の構成を説明するための分解斜視図である。
【図１０】この考案のさらに他の実施形態に係る遊技機設置島用飾り具の構造を説明するための断面図である。
【図１１】この考案のさらに他の実施形態に係る遊技機設置島用飾り具の構成を説明するための分解斜視図である。
【考案を実施するための形態】
【００１７】
以下では、この考案の実施の形態を、添付図面を参照して詳細に説明する。
図１は、遊技機設置島の一端部の図解的な斜視図であり、この考案の一実施形態に係る遊技機設置島用飾り具２が備えられた状態が示されている。遊技場においては、複数台の遊技機１（パチンコ機やパチスロ機等）が隣設して配列され、かつ、複数台の遊技機１が背中合わせに配列されて、遊技機設置島３が構成されている。各遊技機１の上方には、幕板７が取り付けられている。遊技機設置島３の一端に遊技機設置島用飾り具２が備えられている。この遊技機設置島用飾り具２は、この実施形態では、妻板の形態を有しており、いわば妻板型島飾りを構成している。
【００１８】
図２は遊技機設置島用飾り具２の正面図である。遊技機設置島用飾り具２は、正面視において、縦長矩形を有しており、前後方向に所定の厚みを有している。より具体的には、この実施形態では、遊技機設置島用飾り具２は、前後方向の厚みが例えば５０ミリメートル程度であり、標準的な厚みの妻板の形態を有している。遊技機設置島用飾り具２は、飾り具本体１０を有しており、この飾り具本体１０は、ベース板１１と、扉板１２と、巾木１３とを有し、標準的な妻板と同様な板状の形態を有している。
【００１９】
扉板１２は、ベース板１１の左右方向中央に配置されてベース板１１と合わせられ、右側辺を回動中心として、前方へ開くことができるようにベース板１１に結合されている。扉板１２には、装飾表示部１５が嵌め込まれている。装飾表示部１５は、この実施形態では、正面視において縦長の矩形に形成されている。飾り具本体１０は、装飾表示部１５の端面を取り囲む枠状に構成されている。装飾表示部１５は、複数枚（この実施形態では２枚）の装飾用導光板１５１，１５２を含み、これらの複数枚の装飾用導光板１５１，１５２は、ベース板１１の前後方向に重なり合って配置されている。
【００２０】
ベース板１１には、両側辺の上端部付近に、それぞれ呼び出し表示器１６が配置されている。呼び出し表示器１６は、遊技機１に設けられた呼び出しスイッチが操作されることによって呼び出し点灯状態となり、客の呼び出し要求を係員に報知する。さらに、ベース板１１には、両側部の上下方向中央付近に機種名表示器１７が配置されている。機種名表示器１７は、扉板１２の左右にそれぞれ位置しており、遊技機設置島３を構成する遊技機１の機種名を表示する。
【００２１】
図３は、装飾表示部１５による光装飾表示のための構成を説明するための分解斜視図である。装飾表示部１５は、前後方向５に重なり合うように配置された複数枚の装飾用導光板１５１，１５２を含む。前側に配置された第１装飾用導光板１５１の両側面に沿って、上下方向に延びる線状の第１ＬＥＤ基板２０１がそれぞれ配置されている。同様に、後側に配置された第２装飾用導光板１５２の両側面に沿って、上下方向に延びる線状の第２ＬＥＤ基板２０２がそれぞれ配置されている。ＬＥＤ基板２０１，２０２は、同様の構成を有しており、それぞれ、基板２１と、その基板２１の装飾用導光板１５１，１５２の側面に対向する表面に配列された複数のＬＥＤ素子２２（発光ダイオード素子）とを含む。したがって、ＬＥＤ基板２０１，２０２は、装飾用導光板１５１，１５２の側面をそれぞれ外側から照らすように配置されている。ＬＥＤ基板２０１，２０２と装飾用導光板１５１，１５２の側面との間に、第１および第２着色透光部材２５１，２５２がそれぞれ配置されている。着色透光部材２５１，２５２は、この実施形態では、装飾用導光板１５１，１５２の側面にそれぞれ対向し、この側面と平行に上下方向に延びる着色された透明な帯状板である。着色透光部材２５１，２５２は、たとえば着色されたアクリル板（カラーアクリル板）で構成することができる。第１および第２着色透光部材２５１，２５２は、異なる色に着色されていることが好ましい。ＬＥＤ基板２０１，２０２に実装された複数のＬＥＤ素子２２は、この実施形態では、白色ＬＥＤ素子であり、白色光を発生する。ＬＥＤ基板２０１，２０２および着色透光部材２５１，２５２は、装飾用導光板１５１，１５２の端面に入射する光の色を変更可能な第１および第２色可変端面光源ユニット２３１，２３２を構成している。
【００２２】
着色透光部材２５１，２５２は、図２に図解的に示すように、それぞれ、上下方向にスライド可能に飾り具本体１０に支持されている。より具体的には、着色透光部材２５１，２５２は、飾り具本体１０の上面１０ａ付近にまで延びており、飾り具本体１０の上面１０ａから上方に抜き取ることができ、かつ、飾り具本体１０の上面１０ａからその内部へと差し入れて、ＬＥＤ基板２０１，２０２と装飾用導光板１５１，１５２の側面との間に配置することができる。こうして、着色透光部材２５１，２５２は、飾り具本体１０に対して着脱自在に支持されている。第１および第２着色透光部材２５１，２５２は、両方が飾り具本体１０に対して着脱自在であることが好ましいが、それらのうちの一方のみが飾り具本体１０に対して着脱自在であってもよい。
【００２３】
着色透光部材２５１，２５２は、たとえば、厚さ２ミリメートル程度、幅６ミリメートル程度の帯状のカラーアクリル板で構成できる。このような帯状カラーアクリル板は、可撓性を有し、容易に変形できるので、飾り具本体１０に対する上面１０ａからの抜き差し操作が容易である。
ＬＥＤ基板２０１，２０２から生成される白色光Ｌ１，Ｌ２は、着色透光部材２５１，２５２をそれぞれ透過することによって着色され、その着色された光が装飾用導光板１５１，１５２の側面にそれぞれ入射する。この光が、装飾用導光板１５１，１５２の表面（背面および正面の一方または両方）に施された彫刻や模様等の装飾パターン１８１，１８２（図１および図２参照）によって、正面側に導かれて放射されることにより、装飾パターン１８１，１８２を合成した合成装飾パターン１８による光装飾効果を生じる。
【００２４】
図４は、遊技機設置島用飾り具２の横断面図であり、図５は、ＬＥＤ基板２０１，２０２の近傍の構造を拡大して示す拡大断面図である。ベース板１１は、たとえば木材で構成されており、その正面側に扉板１２等を収容するための凹所３０が形成されている。この凹所３０内に納められるように、扉板１２が長蝶番３１によってベース板１１に開閉可能に結合されている。扉板１２は、枠状に形成された板状体であり、たとえば木材で構成されている。この扉板１２に、透明板状体からなる装飾用導光板１５１，１５２が嵌め込まれている。この実施形態では、装飾用導光板１５１，１５２は、無色透明の板状体であり、たとえば無色透明アクリル板で構成されている。装飾用導光板１５１，１５２は、たとえば、厚さ５ミリメートル程度のアクリル板であってもよい。装飾用導光板１５１，１５２の側面は、ＬＥＤ基板２０１，２０２からの光が入射する光入射端面であり、研磨処理がされた研磨面であることが好ましい。
【００２５】
扉板１２の両側部には、その背面側に上下方向に延びる凹所３３が形成されている。この凹所３３は、扉板１２の上端まで延びており、飾り具本体１０の上面１０ａに開口する開口３４（図１および図２参照）を形成している。この凹所３３に、たとえばアルミニウムで構成されたチャネル状の第１および第２フレーム３５１，３５２が前後方向５に並べて配置されて、フレーム部材を構成している。第１および第２フレーム３５１，３５２は、互いに接合されて一体化されていることが好ましい。また、第１および第２フレーム３５１，３５２は、たとえば押出成形品によって構成された一つの部品で構成されていてもよい。フレーム３５１，３５２は、上下方向に延びており、その上端が開口３４（図１および図２参照）の近傍にまで達していることが好ましい。フレーム３５１，３５２は、飾り具本体１０の厚み範囲内、より具体的には扉板１２の厚み範囲内に配置されている。フレーム３５１，３５２は、装飾用導光板１５１，１５２の側部をそれぞれ挟持する挟持溝３６を形成しており、装飾用導光板１５１，１５２の側部に向かって開いた入口部に装飾用導光板１５１，１５２の縁部を表裏面から挟持する一対の挟持部３７が配置されている。この挟持部３７よりも挟持溝３６の奥側、すなわち底部にＬＥＤ基板２０１，２０２を支持するＬＥＤ基板支持部３８が設けられている。ＬＥＤ基板支持部３８と挟持部３７との間に、着色透光部材２５１，２５２を支持する着色透光部材支持部３９が配置されている。着色透光部材支持部３９は、装飾用導光板１５１，１５２の側面に沿ったレール形状を有しており、上下方向に延びて、着色透光部材２５１，２５２をスライド可能に支持している。着色透光部材支持部３９は、飾り具本体１０の上面に開いたレール形状に形成されている。
【００２６】
第１フレーム３５１には、取付板４１が結合されており、この取付板４１は、扉板１２の背面に接している。取付板４１の背後には、たとえば金属製の導光板押さえ部材４２が配置されている。導光板押さえ部材４２は、取付板４１に接するフランジ４３を両側部に有し、その両側部のフランジ４３の内側が背後に向かって窪んで収容空間４４を形成している。この収容空間４４に、反射鏡４５が配置されている。反射鏡４５の背面には反射鏡４５を補強する補強板４６が設けられており、この補強板４６の背面に導光板押さえ部材４２が接している。導光板押さえ部材４２の両側部のフランジ４３は、たとえば背後から取付板４１とともに扉板１２にビス止めされている。これにより、装飾用導光板１５１，１５２、ＬＥＤ基板２０１，２０２および着色透光部材２５１，２５２は、フレーム３５１，３５２、取付板４１および扉板１２を介してベース板１１に支持され、飾り具本体１０の厚み範囲内に配置されている。
【００２７】
導光板押さえ部材４２のフランジ４３とベース板１１との間には、ＬＥＤ基板２０１，２０２に電力を供給するための電源ユニット５０（たとえば定電流電源ユニット）が配置されている。参照符号４８は、扉板１２の左側部（長蝶番３１とは反対側の側部）の位置を規制する戸当たり部材である。扉板１２の左側部は、その背面が戸当たり部材４８に当接した状態で、ボルト４９（図２参照）によって、ベース板１１に固定されている。
【００２８】
第１装飾用導光板１５１の背面、すなわち、反射鏡４５に対向する表面には、装飾パターン１８１を形成する凹溝５２１が彫刻されている。同様に、第２装飾用導光板１５２の背面、すなわち、反射鏡４５に対向する表面には、装飾パターン１８２を形成する凹溝５２２が彫刻されている。凹溝５２１，５２２は、たとえば、断面視において二等辺三角形状の溝であってもよい。凹溝５２１，５２２は、装飾用導光板１５１，１５２内を進行する光Ｌ１，Ｌ２の直進を妨げ、その光の大部分を装飾用導光板１５１，１５２の正面側へ反射させる。凹溝５２１，５２２から背面側に向かう一部の光は、反射鏡４５によって反射されて、再び、装飾用導光板１５１，１５２へと導かれ、正面側に出射される光強度の向上に寄与する。凹溝５２１，５２２の形状（装飾パターン１８１，１８２）は任意であり、幾何学模様であってもよいし、任意の文字表記を形成していてもよい。後側に配置された第２装飾用導光板１５２から前方に照射される光は、前側に配置された第１装飾用導光板１５１を透過して、装飾表示部１５の前方へと出射する。
【００２９】
図６Ａは、第１装飾用導光板１５１に形成された第１装飾パターン１８１の一例を示し、図６Ｂは、第２装飾用導光板１５２に形成された第２装飾パターン１８２の一例を示す。第１装飾パターン１８１および第２装飾パターン１８２が合成されることにより、図２に示す合成装飾パターン１８が得られる。この例では、合成装飾パターン１８は、４枚の花弁で構成される花を上下左右に沿った二次元行列状に複数個配列したパターンである。第１装飾パターン１８１は、各花弁の輪郭に対応している。第２装飾パターン１８２は、各花弁の内方の模様に対応している。
【００３０】
第１および第２装飾用導光板１５１，１５２は、この実施形態では、正面視において同形同大の矩形に形成されている。そして、第１および第２装飾用導光板１５１，１５２を重ねたときに位置が整合するように、第１および第２装飾パターン１８１，１８２が第１および第２装飾用導光板１５１，１５２にそれぞれ形成されている。この例では、第１および第２装飾パターン１８１，１８２は、異なるパターンに形成されており、したがって、合成装飾パターン１８は、第１および第２装飾パターン１８１，１８２のいずれとも異なるパターンである。第１および第２装飾パターン１８１，１８２は、異なるパターンであることが好ましいが、同じパターンであってもよい。
【００３１】
図７は、第１および第２ＬＥＤ基板２０１，２０２の駆動に関連する電気的構成を説明するためのブロック図である。電源ユニット５０は、コントローラ７０と、第１ＬＥＤ駆動回路７１と、第２ＬＥＤ駆動回路７２とを含む。第１ＬＥＤ駆動回路７１は、一対の第１ＬＥＤ基板２０１に接続されて、それらに給電する。第２ＬＥＤ駆動回路７２は、一対の第２ＬＥＤ基板２０２に接続されて、それらに給電する。むろん、一つのＬＥＤ基板に一つのＬＥＤ駆動回路が対応付けられていてもよい。コントローラ７０は、第１ＬＥＤ駆動回路７１および第２ＬＥＤ駆動回路７２に対して発光制御信号を与え、それにより、第１および第２ＬＥＤ基板２０１，２０１の発光を制御する。
【００３２】
コントローラ７０は、第１ＬＥＤ基板２０１に備えられる複数のＬＥＤ素子２２を一括してオン／オフ制御してもよい。また、コントローラ７０は、第１ＬＥＤ基板２０１に備えられる複数のＬＥＤ素子２２を個別にオン／オフ制御してもよい。さらに、コントローラ７０は、第１ＬＥＤ基板２０１に備えられる複数のＬＥＤ素子２２の発光輝度を一括して制御してもよい。また、コントローラ７０は、第１ＬＥＤ基板２０１に備えられる複数のＬＥＤ素子２２の発光輝度を個別に制御してもよい。ＬＥＤ素子２２の発光輝度を一括または個別に制御することによって、コントローラ７０は、調光手段として機能することができる。さらに、コントローラ７０は、左右一対の第１ＬＥＤ基板２０１を同様に制御（同期制御）してもよいし、異なる態様で制御（たとえば時間差を付けて制御）してもよい。コントローラ７０による第２ＬＥＤ基板２０２の制御についても同様である。
【００３３】
コントローラ７０は、第１および第２ＬＥＤ基板２０１，２０２の制御パターンを記憶するメモリ７０Ｍを備えていてもよい。メモリ７０Ｍの内容、すなわち、制御パターンは、書き換え可能であることが好ましい。具体的には、コントローラ７０には、適当な外部接続インタフェースが接続され、この外部接続インタフェースにパーソナルコンピュータやスマートフォン等の処理装置が接続可能とされていることが好ましい。そして、このような処理装置からメモリ７０Ｍに制御パターンの書き込みが可能とされていることが好ましい。また、メモリ７０Ｍに予め複数の制御パターンを書き込み、処理装置からの指令や、コントローラ７０に接続された切替えスイッチの操作等によって、いずれかの制御パターンが選択できるようになっていてもよい。外部接続インタフェースは、有線接続のためのインタフェースであってもよいし、無線接続インタフェースであってもよい。
【００３４】
以上のように、この実施形態の構成によれば、第１ＬＥＤ基板２０１から発した光Ｌ１は第１着色透光部材２５１を通ることによって着色され、その着色された光Ｌ１が第１装飾用導光板１５１の端面である側面に入射する。第１装飾用導光板１５１内を進む光Ｌ１は、背面に形成された凹溝５２１によって、その進行方向に交差する方向へ導かれ、第１装飾用導光板１５１の表面側へと導かれる。それにより、第１ＬＥＤ基板２０１の発する光によって、第１装飾用導光板１５１を用いた光装飾効果を実現できる。同様に、第２ＬＥＤ基板２０２から発した光Ｌ２は第２着色透光部材２５２を通ることによって着色され、その着色された光Ｌ２が第２装飾用導光板１５２の端面である側面に入射する。第２装飾用導光板１５２内を進む光Ｌ２は、背面に形成された凹溝５２２によって、その進行方向に交差する方向へ導かれ、第２装飾用導光板１５２の表面側へと導かれ、さらに第１装飾用導光板１５１を通過して前方へ出射する。それにより、第２ＬＥＤ基板２０２の発する光によって、第２装飾用導光板１５２を用いた光装飾効果を実現できる。
【００３５】
そこで、第１ＬＥＤ基板２０１を点灯し、第２ＬＥＤ基板２０２を消灯すると、第１装飾用導光板１５１に形成された第１装飾パターン１８１による光装飾を行える。また、第１ＬＥＤ基板２０１を消灯し、第２ＬＥＤ基板２０２を点灯すると、第２装飾用導光板１５２に形成された第２装飾パターン１８２による光装飾を行える。そして、第１および第２ＬＥＤ基板２０１，２０２の両方を点灯すると、第１および第２装飾パターン１８１，１８２の合成装飾パターン１８による光装飾を行える。このようにして、変化に富んだ光装飾を実現できる。
【００３６】
しかも、第１着色透光部材２５１と第２着色透光部材２５２との色を異ならせておけば、２色での表示を実現できる。すなわち、第１ＬＥＤ基板２０１を点灯し、第２ＬＥＤ基板２０２を消灯すると、第１着色透光部材２５１の色（第１の色。たとえば青色）での光装飾を行える。また、第１ＬＥＤ基板２０１を消灯し、第２ＬＥＤ基板２０２を点灯すると、第２着色透光部材２５２の色（第２の色。たとえば赤色）での光装飾を行える。そして、第１および第２ＬＥＤ基板２０１，２０２の両方を点灯すると、第１装飾パターン１８１を第１の色（たとえば青色）で表示し、第２装飾パターン１８２を第２の色（たとえば赤色）で表示した２色表示を実現できる。このようにして、カラフルな光装飾を実現できる。
【００３７】
たとえば、第１および第２装飾パターン１８１，１８２の一方に、店名表示パターンを含み、それらのうちの他方には店名表示パターンに対応する領域に窓領域（装飾パターンを形成しない領域）を設けてもよい。それにより、店名表示を含む合成装飾パターンによる光装飾を行える。とくに、第１および第２着色透光部材２５１，２５２の色を異ならせて、第１および第２装飾パターン１８１，１８２を異なる色のカラーパターンとすることによって、店名表示を際立たせる効果を得ることもできる。
【００３８】
また、第１および第２装飾用導光板１５１，１５２は、前後に重ね合わされており、かつ、この実施形態では、それらの間には隙間１９（図４および図５参照）が形成されている。そのため、第１および第２装飾パターン１８１，１８２は立体的に重ね合わされたような視覚効果を生じ、奥行き感のある合成装飾パターン１８を形成することができる。
第１ＬＥＤ基板２０１および第２ＬＥＤ基板２０１の一方または両方に関して、それらのオン／オフを時間経過とともに制御してもよい。それにより、時間経過とともに変化する表示が可能となる。たとえば、第１および第２ＬＥＤ基板２０１，２０２の両方のオン／オフを時間経過とともに制御する場合、第１ＬＥＤ基板２０１のオン／オフタイミングと第２ＬＥＤ基板のオン／オフタイミングとをずらすことによって、一層変化に富んだ光装飾が可能になる。たとえば、第１ＬＥＤ基板２０１を点灯させて第１装飾パターン１８２を表示させ、その後に第２ＬＥＤ基板２０２を点灯させて第１および第２装飾パターン１８１，１８２の合成装飾パターン１８による光装飾を行い、その後、第１装飾パターン１８１，１８２を同時にまたは時間差を付けて消灯させてもよい。
【００３９】
さらに、第１ＬＥＤ基板２０１および第２ＬＥＤ基板の一方または両方に対して調光制御を行うことにより、さらに変化に富んだ光装飾が可能である。たとえば、第１ＬＥＤ基板２０１に対して、発光輝度を最大値まで漸増させ、一定時間だけ最大輝度に保持した後に、輝度を漸減させて消灯するような時間変化を伴う調光制御を行ってもよい。その一方で、第１ＬＥＤ基板２０１の輝度変化に対して時間差を設けて、第２ＬＥＤ基板２０２に対して、発光輝度を最大値まで漸増させ、一定時間だけ最大輝度に保持した後に、輝度を漸減させて消灯するような時間変化を伴う調光制御を行ってもよい。これにより、第１装飾パターン１８１は、徐々に現れて最大輝度で一定時間だけ保たれた後に減光して消灯する。その一方で、第２装飾パターン１８１は、第１装飾パターン１８１から遅れて徐々に現れて最大輝度で一定時間だけ保たれた後に減光して消灯する。それにより、第１装飾パターン１８１が徐々に現れ、さらに第２装飾パターン１８１が徐々に現れて第１装飾パターン１８１に合成され、その後、第１装飾パターン１８１が消灯して第２装飾パターン１８１のみとなり、その後に第２装飾パターン１８１が消灯する。このように、一層変化に富んだ光装飾が可能になる。
【００４０】
第１ＬＥＤ基板２０１に備えられた複数のＬＥＤ素子２２は、個別に発光制御が可能であるように構成されていてもよい。同様に、第２ＬＥＤ基板２０２に備えられた複数のＬＥＤ素子２２は、個別に発光制御が可能であるように構成されていてもよい。この場合、第１および第２ＬＥＤ基板２０１，２０２の一方または両方に対して、各ＬＥＤ素子２２の個別発光制御を行ってもよい。たとえば、第１ＬＥＤ基板２０１の複数のＬＥＤ素子２２を上下方向の一方側（上側または下側）から他方側（下側または上側）に向かって順に点灯させてもよい。また、第１ＬＥＤ基板２０１の複数のＬＥＤ素子２２を上下方向の一方側（上側または下側）から他方側（下側または上側）に向かって順に消灯させてもよい。同様の制御を第２ＬＥＤ基板２０２の複数のＬＥＤ素子２２に対して行ってもよい。第１および第２ＬＥＤ基板２０１，２０２の両方に対して各複数のＬＥＤ素子２２の個別発光制御を行う場合に、タイミングを整合させて制御してもよいし、時間差を付けて制御してもよい。また、複数のＬＥＤ素子２２をグループ化し、グループ毎にＬＥＤ素子２２の発光制御を行ってもよい。たとえば、各ＬＥＤ基板２０１，２０２において、複数のＬＥＤ素子２２を上下方向に関して区分した複数の領域によりグループ化してもよい。複数の領域は、たとえば、上側領域および下側領域の２つのグループであってもよいし、上側領域、中央領域および下側領域の３つのグループであってもよい。
【００４１】
また、着色透光部材２５１，２５２の色を変更すれば、光装飾の意匠を変更できるから、コストを抑制しながら光装飾の意匠を変更することができる。すなわち、着色透光部材２５１，２５２を異なる色のものに交換すればよいので、装飾用導光板１５１，１５２の設計を変更したりする必要がない。したがって、光装飾の意匠変更を安価にかつ容易に行える。
【００４２】
とくに、この実施形態では、着色透光部材２５１，２５２が飾り具本体１０に対して抜き差しでき、容易に着脱できる構造である。そのため、着色透光部材２５１，２５２を取り外せば、ＬＥＤ基板２０１，２０２の発光色による光装飾効果が得られ、着色透光部材２５１，２５２を取り付ければ、当該着色透光部材２５１，２５２で着色された色の光装飾効果が得られる。さらに、別の色の着色透光部材２５１，２５２に交換すれば、その交換後の着色透光部材２５１，２５２で着色された色の光装飾効果が得られる。したがって、着色透光部材２５１，２５２の着脱によって、光装飾の意匠を容易に変更することができる。それにより、大きなコスト負担が生じることがなく、かつ容易な作業で、光装飾の意匠を変更できる。したがって、遊技機１の機種を変更する際や季節の変わり目に光装飾の意匠を変更して行う店内改装が、安価でかつ容易に行える。
【００４３】
しかも、ＬＥＤ基板２０１，２０２と装飾用導光板１５１，１５２の端面（側面）との間に着色透光部材２５１，２５２を設ける構成は、標準的な妻板の厚み（たとえば５０ミリメートル）の範囲内に収容することができる。それにより、妻板型の島飾りを実現することができるから、遊技場の店内スペースが広くない場合であっても、光装飾効果を伴う島飾りを設置し、かつ十分な通路スペースを確保できる。
【００４４】
図８は、この考案の第２の実施形態に係る遊技機設置島用飾り具の正面図である。図７において、前述の図１〜図６Ｂに示した各部の対応部分は同一参照符号で示す。この実施形態では、遊技機設置島用飾り具２の上部、より具体的には扉板１２の上辺近傍の位置に、第１の実施形態の場合よりも小さな装飾表示部５５が配置されている。詳細な図示は、省略するが、第１の実施形態の装飾表示部１５の場合と同様に、装飾表示部５５は、前後に重なり合って配置された複数枚（たとえば２枚）の装飾用導光板５５１，５５２を含む。図８では、明瞭化のために、２枚の装飾用導光板５５１，５５２の位置をわずかにずらして描いてあるが、実際には、これらは正面視において同じ位置に配置されている。これらの装飾用導光板５５１，５５２のそれぞれの上辺に対向するように、左右方向に線状に延びたＬＥＤ基板５６１，５６２がそれぞれ設けられている。ＬＥＤ基板５６１，５６２と装飾用導光板５５１，５５２の上端面との間に、着色透光部材５７１，５７２がそれぞれ配置されている。ＬＥＤ基板５６１，５６２および着色透光部材５７１，５７２は、装飾用導光板５５１，５５２の端面に入射する光の色を変更可能な色可変端面光源ユニット５９１，５９２を構成している。
【００４５】
装飾用導光板５５１，５５２は、この実施形態では、上下方向の長さが短く、したがって、その上端面に対向配置したＬＥＤ基板５６１，５６２からの光が、その下端面まで十分に到達する。したがって、装飾用導光板５５１，５５２の上端面付近に配置した各１つのＬＥＤ基板５６１，５６２により、十分な輝度の光装飾を実現することができる。このような比較的小さな装飾用導光板５５１，５５２は、たとえば、遊技場の店名表示などに用いることができる。具体的には、装飾用導光板５５１，５５２の一方または両方の背面側に、店名表示パターン５８の凹溝が形成されていてもよい。たとえば、装飾用導光板５５１，５５２の一方に店名表示パターン５８の一部が形成され、それらの他方に店名表示パターンの残りの部分が形成されることにより、それらのパターンの合成によって店名表示パターン５８が構成されてもよい。また、装飾用導光板５５１，５５２の一方に店名表示パターン５８が形成され、それらのうちの他方に店名以外の装飾パターン６４が形成されてもよい。
【００４６】
着色透光部材５７１，５７２は、扉板１２に対して着脱可能である。たとえば、ボルト４９を取り外して、扉板１２をベース板１１から手前に開くことによって扉板１２の背面側を露出させることで、着色透光部材５７１，５７２が扉板１２に対して着脱できるようにされていてもよい。それにより、着色透光部材５７１，５７２を必要に応じて取り外したり、交換したりすることができる。着色透光部材５７１，５７２を取り外すことによって、ＬＥＤ基板５６１，５６２の発光色での光装飾を行うことができる。着色透光部材５７１，５７２の色を変更することにより、すなわち異なる色の着色透光部材５７１，５７２と交換することによって、異なる色の光装飾を行うことができる。
【００４７】
図９は、この考案の第３の実施形態に係る遊技機設置島用飾り具の構成を説明するための分解斜視図である。図９において、前述の図３に示した各部に対応する部分には同一の参照符号を付して示す。この実施形態では、装飾用導光板１５１，１５２の両側面に、着色透光部材としてのカラーフィルム６０１，６０２（明瞭化のために網掛け表示で示す。）が貼着されている。すなわち、ＬＥＤ基板２０１，２０２と装飾用導光板１５１，１５２の側面との間に、カラーフィルム６０１，６０２がそれぞれ配置されている。ＬＥＤ基板２０１，２０２から発した光は、カラーフィルム６０１，６０２によって着色された後に、装飾用導光板１５１，１５２に入射する。それにより、カラーフィルム６０１，６０２によって着色された光による光装飾を実現することができる。ＬＥＤ基板２０１，２０２およびカラーフィルム６０１，６０２は、装飾用導光板１５１，１５２の端面に入射する光の色を変更可能な色可変端面光源ユニット６１１，６１２を構成している。
【００４８】
カラーフィルム６０１，６０２は、必要に応じて装飾用導光板１５１，１５２の側面からはぎ取ることができる。そして、別の色のカラーフィルム６０１，６０２を装飾用導光板１５１，１５２の側面に貼り付けることができる。カラーフィルム６０１，６０２を貼り付けていない状態では、ＬＥＤ基板２０１，２０２が発する色の光が装飾用導光板１５１，１５２に入射し、その色の光による光装飾効果を得ることができる。カラーフィルム６０１，６０２を交換して異なる色のカラーフィルム６０１，６０２を装飾用導光板１５１，１５２の側面に貼着すれば、当該異なる色の光装飾効果を得ることができる。
【００４９】
装飾用導光板１５１，１５２の側面に１枚のカラーフィルム６０１，６０２が貼り付けられた状態で、そのカラーフィルム６０１，６０２の表面にさらに別の色のカラーフィルムを積層して貼着してもよい。この場合には、その２枚のカラーフィルムによって着色された混合色の光による光装飾効果が得られる。貼着されるカラーフィルムの枚数は３枚以上であってもよい。
【００５０】
その他の構成は、第１の実施形態の場合と同様である。
図１０は、この考案の第４の実施形態に係る遊技機設置島用飾り具の構造を説明するための断面図であり、前述の第１の実施形態の説明において用いた図５に対応する部分の構造が示されている。
この実施形態では、フレーム３５１に設けられたレール状の着色透光部材支持部３９に、２枚の着色透光部材１７１，１７２、より具体的には２枚のカラーアクリル板が重ねられて配置されている。この２枚の着色透光部材１７１，１７２は、帯状体であり、着色透光部材支持部３９に対してスライド自在であり、飾り具本体１０の上面１０ａ（図１および図２参照）から抜き差しすることができる。同様に、フレーム３５２に設けられたレール状の着色透光部材支持部３９に、２枚の着色透光部材２７１，２７２、より具体的には２枚のカラーアクリル板が重ねられて配置されている。この２枚の着色透光部材２７１，２７２は、帯状体であり、着色透光部材支持部３９に対してスライド自在であり、飾り具本体１０の上面１０ａ（図１および図２参照）から抜き差しすることができる。
【００５１】
ＬＥＤ基板２０１，２０２および着色透光部材１７１，１７２；２７１，２７２は、装飾用導光板１５１，１５２の端面に入射する光の色を変更可能な色可変端面光源ユニット７３１，７３２を構成している。ＬＥＤ基板２０１，２０２から発生した光Ｌ１，Ｌ２は、それぞれ２枚の着色透光部材１７１，１７２；２７１，２７２の色に着色され、より正確にはそれらの混合色に着色されて、装飾用導光板１５１，１５２にそれぞれ入射する。それにより、当該混合色による光装飾効果を得ることができる。第１および第２の着色透光部材１７１，１７２；２７１，２７２のうち、第２の着色透光部材１７２；２７２を取り去れば、第１の着色透光部材１７１；２７２のみによって着色された光Ｌ１，Ｌ２による光装飾効果が得られる。また、第１の着色透光部材１７１；２７１を取り去って、第２の着色透光部材１７２；２７２だけをフレーム３５１，３５２に保持させておけば、この第２の着色透光部材１７２；２７２のみによって着色された光Ｌ１，Ｌ２による光装飾効果を得ることができる。そして、第１および第２の着色透光部材１７１，１７２，２７１，２７２の両方をフレーム３５１，３５２から取り去れば、ＬＥＤ基板２０１，２０２が発生した光Ｌ１，Ｌ２（たとえば白色光）による光装飾効果を実現することができる。よって、着色透光部材１７１，１７２，２７１，２７２の配置により、各装飾用導光板１５１，１５２について、４色の光装飾効果を実現することができる。２枚の装飾用導光板１５１，１５２のそれぞれについて、着色透光部材１７１，１７２；２７１，２７２を選択できるから、合計で１６種類のカラーパターンを選択できる。
【００５２】
第１および第２の着色透光部材１７１，１７２，２７１，２７２は、図１０に示すように、共通のレール状の支持部３９内に配置されてもよいし、フレーム３５１，３５２に第１および第２の着色透光部材１７１，１７２，２７１，２７２にそれぞれ対応した第１および第２のレール状支持部を個別に設けておいてもよい。また、３枚以上の着色透光部材（カラーアクリル板）がＬＥＤ基板２０１，２０２と装飾用導光板１５１，１５２の側面との間にそれぞれ配置可能な構成となっていてもよい。
【００５３】
図１１は、この考案の第５の実施形態に係る遊技機設置島用飾り具の構成を説明するための分解斜視図である。図１１において、前述の図３および図７に示した各部に対応する部分には同一の参照符号を付して示す。前述の実施形態では、ＬＥＤ基板２０１，２０２は、白色光を発生するＬＥＤ素子２２を基板２１上に実装して構成されている。それに対して、この第５の実施形態では、ＬＥＤ基板２０１，２０２は、発光色が可変な多色ＬＥＤ素子８３を基板２１上に実装して構成された多色発光ＬＥＤ基板である。各多色ＬＥＤ素子８３は、たとえば、三原色の発光部、より具体的には、赤色発光部８３Ｒ、緑色発光部８３Ｇおよび青色発光部８３Ｂを内蔵している。これらの色発光部８３Ｒ，８３Ｇ，８３Ｂのそれぞれの発光輝度（オン／オフを含む）を個別に制御することにより、多色ＬＥＤ素子８３は、任意の色の光を発生することができる。
【００５４】
多色ＬＥＤ素子８３の発光色を設定するために、コントローラ７０のメモリ７０Ｍには、発光色を指定した制御パターンデータが格納されている。コントローラ７０は、その制御パターンデータに従って第１および第２ＬＥＤ駆動回路７１，７２を制御する。それにより、ＬＥＤ基板２０１，２０２は制御パターンデータに従って駆動される。それにより、ＬＥＤ基板２０１，２０２から当該制御パターンデータに対応する設定色の光Ｌ１，Ｌ２が発生し、その光Ｌ１，Ｌ２が装飾用導光板１５１，１５２の側面に入射する。ＬＥＤ基板２０１，２０２は、装飾用導光板１５１，１５２の端面に入射する光の色を変更可能な色可変端面光源ユニットを構成している。
【００５５】
その他の構成は、第１の実施形態の場合と同様である。
このような構成により、コントローラ７０による制御によって、多色発光ＬＥＤ基板２０１，２０２の発光色を変更することによって、様々な色の光Ｌ１，Ｌ２を装飾用導光板１５１，１５２にそれぞれ入射させることができる。したがって、発光色を変更することにより、光装飾の色を変更することができる。時間経過に伴って変動する制御パターンデータをメモリ７０Ｍに書き込んでおいたり、メモリ７０Ｍに予め書き込んだ複数の制御パターンデータを時間経過に伴って切り替えたりすることによって、時間経過とともに変化する表示を行うこともできる。
【００５６】
この実施形態では、前述の第１の実施形態等で用いられる着色透光部材２５１，２５２を備える必要はない。したがって、ＬＥＤ基板２０１，２０２を支持するためのフレーム３５１，３５２（図５等参照）は、着色透光部材支持部３９を備える必要がない。着色透光部材２５１，２５２をＬＥＤ基板２０１，２０２と装飾用導光板１５１，１５２の側面との間に配置する必要がないので、ＬＥＤ基板２０１，２０２と装飾用導光板１５１，１５２の側面との間の距離を短縮できる。それにより、ＬＥＤ基板２０１，２０２が発生する光Ｌ１，Ｌ２を装飾用導光板１５１，１５２に効率的に導入できる。
【００５７】
コントローラ７０は、装飾用導光板１５１，１５２の左右の側面にそれぞれ対向する一対のＬＥＤ基板２０１，２０２の発光色を同一色に制御してもよいし、異なる色に制御してもよい。また、コントローラ７０は、装飾用導光板１５１，１５２の一つの側面に対向するＬＥＤ基板２０１，２０２の発光色を、上下方向に関して分割した複数の領域毎に個別に設定したり、個々のＬＥＤ素子８３の発光色を個別に設定したりしてもよい。さらに、コントローラ７０は、ＬＥＤ基板２０１，２０２の発光色を時間経過に伴って動的に変動させてもよい。
【００５８】
なお、多色発光ＬＥＤ基板２０１，２０２を用い、併せて着色透光部材２５１，２５２をＬＥＤ基板２０１，２０２と装飾用導光板１５１，１５１との間に介装してもよい。この場合には、着色透光部材支持部３９を備えたフレーム３５１，３５２（図５等参照）を用いればよい。
また、ＬＥＤ基板２０１，２０２の一方を多色発光ＬＥＤ基板とし、その他方を単色（たとえば白色）発光ＬＥＤ基板としてもよい。
【００５９】
以上、この考案の実施形態について説明してきたが、この考案は、さらに他の形態で実施することもできる。たとえば、前述の第１〜第４の実施形態では、白色光を発光するＬＥＤを用いているが、白色以外の着色光を発生する単色ＬＥＤ素子を実装したＬＥＤ基板が用いられてもよい。また、装飾用導光板についても、無色透明である必要はなく、着色された透明な板状体、より具体的にカラーアクリル板が用いられてもよい。
【００６０】
また、前述の第１の実施形態等では、装飾用導光板１５１，１５２の両側面に対向するように一対のＬＥＤ基板２０１，２０２が配置されているが、一方の側面側にだけＬＥＤ基板を配置してもよい。ただし、両側面にそれぞれ対向する一対のＬＥＤ基板を設ける構成とした方が、輝度の高い光装飾を実現できる。装飾用導光板１５１，１５２の幅が小さければ、一方の側面側にだけＬＥＤ基板を配置しても、十分な輝度の光装飾を実現できる。
【００６１】
また、前述の実施形態では、主として、２枚の装飾用導光板を重ねて装飾表示部を構成する例を示したが、３枚以上の装飾用導光板を重ねて配置し、それぞれの装飾用導光板の端面に対向するようにＬＥＤ基板を配置する構成としてもよい。それにより、一層変化に富んだ光装飾を提供できる。
複数枚の装飾用導光板は、同形同大に構成して全体が重なり合うことによって、繋ぎ目のない合成パターンでの光装飾が可能である。ただし、複数枚の装飾用導光板は、必ずしも同形同大である必要はなく、たとえば、大きさの異なる複数枚の装飾用導光板を重ね合わせて用いてもよい。また、複数枚の装飾用導光板を部分的に重なり合うように配置し、その重なり合った部分で装飾パターンが合成されるようにしてもよい。
【００６２】
さらに、前述の実施形態では、一つの装飾表示部を備えた遊技機設置島用飾り具２の構成を説明したが、複数の装飾表示部が一つの遊技機設置島用飾り具に備えられてもよい。
装飾用導光板は、矩形である必要はない。たとえば、装飾用導光板が曲面状の端面を有していてもよい。この場合には、その曲面状端面に対向するように曲線状のＬＥＤ基板を配置すればよい。そして、必要に応じて、その曲面状端面沿う湾曲形状の着色透光部材を当該曲面状端面とＬＥＤ基板との間に配置すればよい。曲線状のＬＥＤ基板は、可撓性の基板を用いて構成されてもよいし、複数の直線状ＬＥＤ基板を折れ線状に配列して構成されてもよい。
【００６３】
装飾用導光板には、アクリル板のほかにも、ポリカーボネート板等の他の材料の透明板状体を用いることができる。着色透光部材についても同様であり、アクリル板以外にも、ポリカーボネート板等の他の材料の透明板状体を用いることができる。ただし、ＬＥＤ基板に近接して配置されるので、耐熱性の材料で着色透光部材を構成することが好ましい。
装飾用導光板の背後に配置される反射鏡は、装飾用導光板の背面に形成された反射層で構成されてもよい。たとえば、一方表面に反射層が形成されたアクリル板、すなわちアクリルミラーを装飾用導光板として用いてもよい。ただし、装飾用導光板は、導光のための十分な厚みを確保して、全面において十分な輝度で装飾光を放射できるようにすることが好ましい。厚みの大きなアクリルミラーは一般に高価であるので、コストの観点からは、透明アクリル板と、それとは別体の反射鏡とを組み合わせて用いることが好ましい。
【００６４】
また、前述の実施形態では、標準的な妻板の厚みを有する飾り具について説明したが、標準的な妻板よりも厚い島飾りにもこの考案を適用できる。
また、この考案は、遊技機設置島の端部に配置される飾り具だけでなく、たとえば、幕板７に適用することもでき、それにより、幕板７により光装飾を行う遊技機設置島用飾り具を提供できる。
【００６５】
その他、実用新案登録請求の範囲に記載された事項の範囲で種々の設計変更を施すことが可能である。
【符号の説明】
【００６６】
１  遊技機
２  遊技機設置島用飾り具
３  遊技機設置島
７  幕板
１０  飾り具本体
１１  ベース板
１２  扉板
１５  装飾表示部
１５１，１５２  装飾用導光板
１８  合成装飾パターン
１８１，１８２  装飾パターン
２０１，２０２  ＬＥＤ基板
２１  基板
２２  ＬＥＤ素子
２３１，２３２  色可変端面光源ユニット
２５１，２５２  着色透光部材
３５１，３５２  フレーム
３６  挟持溝
３７  挟持部
３８  ＬＥＤ基板支持部
３９  着色透光部材支持部
４２  導光板押さえ部材
４５  反射鏡
５０  電源ユニット
７０  コントローラ
７０Ｍ  メモリ
７１，７２  ＬＥＤ駆動回路
５５  装飾表示部
５５１，５５２  装飾用導光板
５６  ＬＥＤ基板
５７１，５７２  着色透光部材
５９１，５９２  色可変端面光源ユニット
６０１，６０２  カラーフィルム
６１１，６１２  色可変端面光源ユニット
１７１，２７１  第１の着色透光部材
１７２，２７２  第２の着色透光部材
７３１，７３２  色可変端面光源ユニット
８３  多色ＬＥＤ素子
【図１】
0003219418.tif 000003
【図２】
0003219418.tif 000004
【図３】
0003219418.tif 000005
【図４】
0003219418.tif 000006
【図５】
0003219418.tif 000007
【図６】
0003219418.tif 000008
【図７】
0003219418.tif 000009
【図８】
0003219418.tif 000010
【図９】
0003219418.tif 000011
【図１０】
0003219418.tif 000012
【図１１】
0003219418.tif 000013